(57)【要約】【課題】光ピックアップレンズクリーナー。【解決手段】クリーニングディスク１は、ピックアップと対面する側の適切な場所へ清掃部材４を複数設け、中心孔３を設けデータ記録エリアよりも内側の部分を外周で形成したセンターディスク２に、前記クリーニングディスク１がそれぞれフリーに動く様にジョイントされ、該クリーニングディスク１の、外周部左右両側の適切な位置に設けた紐５に操作つまみ６設け構成している。【選択図】図１
2010080037.tif 000002
【特許請求の範囲】
【請求項１】
光ピックアップ装置の対物レンズを清掃するクリーニングディスクにおいて、該対物レンズを清掃するためのクリーニング部材を、ピックアップと対面する側の適切な場所へ少なくとも１つ又は複数設け、ディスクをプレーヤのスピンドル部に固定する為に設けたディスクの中心孔からデータ記録エリアよりも内側の部分と、それ以降の外側の部分とを分離し、内側と外側がそれぞれフリーに動くようジョイントされたクリーニングディスクであって、該クリーニングディスク外周部水平方向のほぼ左右対称位置へ、ディスクを動かす為の紐等の部材を設け、光ディスク再生装置内でクリーニングディスクを回転させることなく、この紐を手動で左右交互に手前に引くことにより、光ピックアップをクリーニングすることを特徴とするクリーニングディスク。
【請求項２】
プレーヤのディスク搬入出用トレーが閉じた状態の時、クリーニングディスクを動かす為に設けた紐がトレーの蓋とプレーヤのディスク挿入口との間に挟まれ、動きが制約されるのを防ぐ為、紐をチューブの中に通したことを特徴とした請求項１記載のクリーニングディスク。
【発明の詳細な説明】
【発明が属する技術分野】
【０００１】  本発明は、光ピックアップ対物レンズのクリーニングに関するものである。
【背景技術】
【０００２】光ピックアップレンズクリーニング用のディスクには従来から光ディスク及光磁気ディスク等が用いられており、これらディスクのＴＯＣエリア近傍、又はプログラムエリア内周近傍に光ピックアップレンズ清掃用のクリーニング部材が少なくとも１つ設けられている。このクリーナーを再生装置で再生することにより、クリーニングディスクが回転し対物レンズとブラシが接しクリーニングを行う。このようにディスクが回転することでクリーニングする方式では、クリーニングディスクに設けられたブラシが対物レンズ以外のプレーヤ内部のメカ等にも接触する場合が考えられる、その結果メカ部の油や汚れがブラシに付着し、その汚れ等が今度は対物レンズに付くこととなり逆効果となる場合がある。これら従来製品の問題点を解決すべく、クリーニングディスクを再生装置内で回転させずにクリーニングする手段として、クリーニングディスク外周部の一部に手動によりディスクを左右に動かす為の紐などを設けたクリーナーが存在する。
【発明が解決しようとする課題】
【０００３】この方式は、プレーヤのディスク搬入出用トレー開口部より外に出ている紐を左右に動かしてクリーニンを行うので、ディスクを回転させることなくクリーニングが出来るが、現在市販されているプレーヤの多くは、プレーヤ内部へのホコリの侵入を防ぐ為にディスク挿入口に開閉式の蓋を設けたり、ディスク搬入出用トレー前部が蓋の役目もするような構造となっていて、機密性保持の為しっかりと閉じる構造となっている。その結果ディスクを左右に動かす為に設けてある紐が挟まれてしまい非常に動かし難く、使用できる機種が大幅に限定されてしまう等の制約があった。
【課題を解決する手段】
【０００４】本発明では、前記の通りクリーニングディスクのほぼ水平位置の左右両側へそれぞれ紐を設け、プレーヤのディスク挿入口より外に出た紐を左右交互に手前に引くので、物理的に比較しても、左右に動かす方式より遥かに動かし易く、今まで以上に多くの機種に対応することが可能である。
【０００５】又、プレーヤディスク搬入出用トレーが閉じた状態の時、クリーニングディスクを動かす為に設けた紐が、トレーの蓋とプレーヤのディスク挿入口との間に挟まれて動きが制約されるのを防ぐ為、紐をチューブ中に通し、概チューブが紐の動きをガードするように構成している。
【発明の実施と形態】
【０００６】本発明の構成を図１及び図２に依って説明する。
クリーニングディスク１は、ピックアップと対面する側の適切な場所へ清掃部材４を複数設け、中心孔３を設けデータ記録エリアよりも内側の部分を外周で形成したセンターディスク２に、前記クリーニングディスク１がそれぞれフリーに動く様にジョイントされ、概クリーニングディスク１の、略水平位置の左右両側に設けた紐５に操作つまみ６及びチューブ７を設け構成している。
【実施例】
【０００７】本発明の実施例を図３〜図６に依って説明する。
プレーヤ８にディスクをセットする方式は、スロット９のローディングタイプ、トレー１０のローディングタイプ等があり、前者は、車載用ＣＤ、ＤＶＤプレーヤ等スペースに制約がある装置に多く搭載され、後者は、据え置き形のＣＤ、ＤＶＤプレーヤに採用されている。前記記載の各プレーヤ８にクリーニングディスク１の、略水平位置の左右両側に設けた紐５を指先で持ちクリーニングディスク１をセット（スロット９の場合は挿入、又はトレー１０の場合はトレー１０をイジェクトしクリーニングディスク１をセットし再度イジェクト。）すると、該クリーニングディスク１にジョイントされたセンターディスク２の中心孔３がスピンドルベース１１にセットされると同時にディスク押さえアーム１２が動作し、概ディスク押さえアーム１２の先端部に設けたディスクパット１３がセンターディスク２を押さえプレーヤ８は動作状態に入る。【０００８】少なくともプレーヤ８がデータ読み込み動作をしている間スピンドルベース１１は回転が持続するのでその間に、前記したクリーニングディスク１の左右両側に設けた紐５の操作つまみ６を交互に手前に引く事により清掃部材４が光ピックアップの対物レンズ１５をクリーニングする。【０００９】又、プレーヤ８の機種に依ってはトレー１０を防塵又は外観デザイン等によりスライド式のドアー１４で密閉するタイプがあり、このような場合はクリーニング動作を阻害しないため、左右の紐５に取り付けたチューブ７を利用しドアー１４を半開きの状態でクリーニングする。
【効果】
【００１０】クリーニングディスク左右両側に設けた紐を交互に引く操作により光ピックアップの対物レンズのクリーニングが容易かつ効果的に出来る。
【図面の簡単な説明】
【００１１】
【図１】本発明の光ピックアップレンズクリーナーを示す平面図。
【図２】本発明の光ピックアップレンズクリーナーを示す正面図。
【図３】本発明の光ピックアップレンズクリーナーをスロットローディングタイププレーヤに使用した状態を示す実施例図。
【図４】本発明の光ピックアップレンズクリーナーをトレーローディングタイププレーヤに使用した状態を示す実施例図。
【図５】本発明の光ピックアップレンズクリーナーをトレーローディングタイプドアー付きプレーヤに使用した状態を示す実施例図。
【図６】本発明の光ピックアップレンズクリーナーのクリーニング動作を示す平面図。
【符号の説明】
【００１２】１：クリーニングディスク
２：センターディスク
３：中心孔
４：清掃部材
５：紐
６：操作つまみ
７：チューブ
８：プレーヤ
９：スロット
１０：トレー
１１：スピンドルベース
１２：ディスク押さえアーム
１３：ディスクパット
１４：ドアー
１５：対物レンズ
【図１】
2010080037.tif 000003
【図２】
2010080037.tif 000004
【図３】
2010080037.tif 000005
【図４】
2010080037.tif 000006
【図５】
2010080037.tif 000007
【図６】
2010080037.tif 000008
【手続補正書】
【提出日】平成20年11月5日(2008.11.5)
【手続補正１】
【補正対象書類名】明細書
【補正対象項目名】０００４
【補正方法】変更
【補正の内容】
【０００４】本発明は、前記の通り弾力性を有するウレタンやゲル状等の素材をベース材とし、該ベース材を軟質な素材で覆うか封入し、一体成形し構成されたパッドであって、使用する各人固有の条件に合うよう、ベース材となるウレタン素材の厚み、硬さを変えると同時に、より細かに微調整が出来るよう、軟質な素材に設けるサイドウォールの立ち上げ位置が、パットの底部外周部より、上下左右へオフセットさせて立ち上げ成形したものを各種用意することで、より多様性に富み、様々な人に対応することが可能になる。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
光ピックアップ装置の対物レンズを清掃するクリーニングディスクにおいて、該対物レンズを清掃するためのクリーニング部材を、ピックアップと対面する側の適切な場所へ少なくとも１つ又は複数設け、ディスクをプレーヤのスピンドル部に固定する為に設けたディスクの中心孔からデータ記録エリアよりも内側の部分と、それ以降の外側の部分とを分離し、内側と外側がそれぞれフリーに動くようジョイントされたクリーニングディスクであって、該クリーニングディスク外周部左右両側へ、ディスクを動かす為の紐等の部材を設け、光ディスク再生装置内でクリーニングディスクを回転させることなく、この紐を手動で左右交互に手前に引くことにより、光ピックアップをクリーニングすることを特徴とするクリーニングディスク。
【手続補正２】
【補正対象書類名】明細書
【補正対象項目名】全文
【補正方法】変更
【補正の内容】
【発明の詳細な説明】
【技術分野】
【０００１】本発明は、光ピックアップレンズのクリーニングに関するものである。
【背景技術】
【０００２】光ピックアップレンズクリーニング用のディスクには従来から光ディスク及び光磁気ディスク等が用いられており、これらディスクのＴＯＣエリア近傍、又はプログラムエリア内周近傍に光ピックアップレンズ清掃用のクリーニング部材が少なくとも１つ設けられている。このクリーナーを再生装置で再生することにより、クリーニングディスクが回転し対物レンズとブラシが接しクリーニングを行う。このようにディスクが回転することでクリーニングする方式では、クリーニングディスクに設けられたブラシが対物レンズ以外のプレーヤ内部のメカ等にも接触する場合が考えられる、その結果メカ部の油や汚れがブラシに付着し、その汚れ等が今度は対物レンズに付くこととなり逆効果となる場合がある。これら従来製品の問題点を解決すべく、クリーニングディスクを再生装置内で回転させずにクリーニングする手段として、クリーニングディスク外周部の一部に手動によりディスクを左右に動かす為の紐などを設けたクリーナーが存在する。
【発明の開示】
【発明が解決しようとする課題】
【０００３】この方式は、プレーヤのディスク搬入出用トレー開口部より外に出ている紐を左右に動かしてクリーニンを行うので、ディスクを回転させることなくクリーニングが出来るが、現在市販されているプレーヤの多くは、プレーヤ内部へのホコリの侵入を防ぐ為にディスク挿入口に開閉式の蓋を設けたり、ディスク搬入出用トレー前部が蓋の役目もするような構造となっていて、機密性保持の為しっかりと閉じる構造となっている。その結果クリーニングディスクを左右に動かす為に設けてある紐が挟まれてしまい非常に動かし難く、使用できる機種が大幅に限定されてしまう等の制約があった。
【課題を解決するための手段】
【０００４】本発明では、前記の通りクリーニングディスクの外周部左右両側の適切な位置へそれぞれ紐を設け、プレーヤのディスク挿入口より外に出た紐を左右交互に手前に引くので、物理的に比較しても、左右に動かす方式より遥かに動かし易く、今まで以上に多くの機種に対応することが可能である。
【発明の効果】
【０００５】クリーニングディスク外周部左右両側の適切な位置にそれぞれ設けた紐を交互に引く操作により光ピックアップの対物レンズのクリーニングが容易かつ効果的に出来る。
【発明を実施するための最良の形態】
【０００６】本発明の構成を図１及び図２に依って説明する。
クリーニングディスク１は、ピックアップと対面する側の適切な場所へ清掃部材４を複数設け、中心孔３を設けデータ記録エリアよりも内側の部分を外周で形成したセンターディスク２に、前記クリーニングディスク１がそれぞれフリーに動く様にジョイントされ、該クリーニングディスク１の、外周部左右両側の適切な位置に設けた紐５に操作つまみ６を設け構成している。
【実施例】
【０００７】本発明の実施例を図３〜図６に依って説明する。
プレーヤ７にディスクをセットする方式は、スロット８のローディングタイプ、トレー９のローディングタイプ等があり、前者は、車載用ＣＤ、ＤＶＤプレーヤ等スペースに制約がある装置に多く搭載され、後者は、据え置き形のＣＤ、ＤＶＤプレーヤに採用されている。前記記載の各プレーヤ７にクリーニングディスク１の、外周部左右両側の適切な位置に設けた紐５を指先で持ち、該クリーニングディスク１をセット（スロット８の場合は挿入、又はトレー９の場合はトレー９をイジェクトしクリーニングディスク１をセットし再度イジェクト。）すると、該クリーニングディスク１にジョイントされたセンターディスク２の中心孔３がスピンドルベース１０にセットされると同時にディスク押さえアーム１１が動作し、該ディスク押さえアーム１１の先端部に設けたディスクパット１２がセンターディスク２を押さえプレーヤ７は動作状態に入る。【０００８】少なくともプレーヤ７がデータ読み込み動作をしている間スピンドルベース１０は回転が持続するのでその間に、前記したクリーニングディスク１の外周部左右両側の適切な位置に設けた紐５の操作つまみ６を交互に手前に引く事により清掃部材４が光ピックアップの対物レンズ１４をクリーニングする。
【図面の簡単な説明】
【０００９】
【図１】本発明の光ピックアップレンズクリーナーを示す平面図。
【図２】本発明の光ピックアップレンズクリーナーを示す正面図。
【図３】本発明の光ピックアップレンズクリーナーをスロットローディングタイププレーヤに使用した状態を示す実施例図。
【図４】本発明の光ピックアップレンズクリーナーをトレーローディングタイププレーヤに使用した状態を示す実施例図。
【図５】本発明の光ピックアップレンズクリーナーをトレーローディングタイプドアー付きプレーヤに使用した状態を示す実施例図。
【図６】本発明の光ピックアップレンズクリーナーのクリーニング動作を示す平面図。
【符号の説明】
【００１０】１：クリーニングディスク
２：センターディスク
３：中心孔
４：清掃部材
５：紐
６：操作つまみ
７：プレーヤ
８：スロット
９：トレー
１０：スピンドルベース
１１：ディスク押さえアーム
１２：ディスクパット
１３：ドアー
１４：対物レンズ
【手続補正３】
【補正対象書類名】図面
【補正対象項目名】全図
【補正方法】変更
【補正の内容】
【図１】
2010080037.tif 000009
【図２】
2010080037.tif 000010
【図３】
2010080037.tif 000011
【図４】
2010080037.tif 000012
【図５】
2010080037.tif 000013
【図６】
2010080037.tif 000014